(57)【要約】【課題】高所作業場所等の作業場所における作業者について客観的に管理するのが困難であった。【解決手段】一方を作業者が所持し他方を作業場所に配置する、ＲＦＩＤタグ及びＲＦＩＤタグリーダ２と、作業者Ｗが所持するＲＦＩＤタグ及びＲＦＩＤタグリーダ２の何れか一方のＩＤ情報、及び作業場所での予定作業者と作業内容に関する情報を保持するデータベースと共に、ＲＦＩＤタグリーダ２を介して受信したＲＦＩＤタグのＩＤ情報若しくはＲＦＩＤタグリーダのＩＤ情報と、データベースの作業場所での予定作業者に関するＩＤ情報の一致により、作業場所に予定作業者がいるか否かを判断し、判断結果情報を出力するデータベースサーバ３と、データベースサーバ３に接続され判断結果情報を受信する管理端末４とを有する。【選択図】図１
2010040038.tif 000002
【特許請求の範囲】
【請求項１】
何れか一方を作業者が所持し、何れか他方を作業場所に配置する、ＲＦＩＤ（Ｒａｄｉｏ  Ｆｒｅｑｕｅｎｃｙ  ＩＤｅｎｔｉｆｉｃａｔｉｏｎ）タグ及びＲＦＩＤタグリーダと、
前記作業者が所持する、前記ＲＦＩＤタグ及び前記ＲＦＩＤタグリーダの何れか一方のＩＤ情報、及び前記作業場所で作業する予定の作業者と作業内容に関する情報を保持するデータベースと共に、前記ＲＦＩＤタグリーダと通信回線を介して通信する通信機能を備え、前記ＲＦＩＤタグリーダを介して受信した前記ＲＦＩＤタグのＩＤ情報若しくは前記ＲＦＩＤタグリーダのＩＤ情報と、前記データベースの前記作業場所で作業する予定の作業者に関するＩＤ情報の一致により、前記作業場所に前記作業場所で作業する予定の作業者がいるか否かを判断し、判断結果情報を出力するデータベースサーバと、
前記データベースサーバに接続され、前記判断結果情報を受信する管理端末と
を有する作業者管理支援システム。
【請求項２】
作業者が所持するＲＦＩＤタグ機能付携帯端末と、
作業場所に配置されるＲＦＩＤタグリーダと、
前記ＲＦＩＤタグリーダと通信回線を介して通信可能なデータベースサーバと、
前記データベースサーバに接続された管理端末と、
を具え、
前記データベースサーバは、前記作業者が所持する前記携帯端末のＩＤ情報と、その作業者に関する情報と、前記作業場所で作業する予定の作業者および作業内容に関する情報とを保持するデータベースを有し、前記ＲＦＩＤタグリーダを介して前記携帯端末からそのＩＤ情報を受信すると、その受信した携帯端末のＩＤ情報と前記データベースの前記作業場所で作業する予定の作業者が所持する前記携帯端末のＩＤ情報とが同一か否かを判断し、同一の場合には前記作業場所で作業する予定の作業者がその作業場所にいる旨の情報を前記管理端末に出力し、同一でない場合は前記作業場所で作業する予定でない作業者がその作業場所にいる旨の情報を前記管理端末に出力するものである、作業者管理支援システム。
【請求項３】
前記データベースサーバは、前記ＲＦＩＤタグリーダから作業開始信号および作業終了信号を受信して、その作業開始信号の受信から作業終了信号の受信までの間を作業時間中と判断し、前記作業時間中と判断している間で、前記作業開始信号の受信後所定時間内に、前記作業場所で作業する予定の作業者が所持する前記携帯端末のＩＤ情報を前記ＲＦＩＤタグリーダを介して前記携帯端末から受信しない場合には、前記作業場所で作業する予定の作業者がその作業場所にいない旨の情報を前記管理端末に出力するものである、請求項２記載の作業者管理支援システム。
【請求項４】
前記作業者が所持するＲＦＩＤタグ機能付携帯端末は、ＧＰＳ機能も持ち、
前記データベースサーバは、通信回線を介して前記携帯端末とも通信可能であり、前記携帯端末からそのＩＤ情報とＧＰＳ位置情報とを通信回線を介して受信すると、その受信した携帯端末のＩＤ情報と前記データベースの前記作業者が所持する前記携帯端末のＩＤ情報とを照合してその受信した携帯端末を所持する作業者を特定するとともに、前記ＧＰＳ位置情報からその作業者の位置を求めて前記データベースのその作業者に関する情報とともに前記管理端末に出力する、請求項２または３記載の作業者管理支援システム。
【請求項５】
使用状態になるとＯＮになってその使用状態の間常時ＩＤ情報を送信するアクティブＲＦＩＤタグ機能付安全具と、
要安全確保作業場所を含む作業場所に配置されるＲＦＩＤタグリーダと、
前記ＲＦＩＤタグリーダと通信回線を介して通信可能なデータベースサーバと、
前記データベースサーバに接続された管理端末と、
を具え、
前記データベースサーバは、前記作業場所で作業する予定の作業者に関する情報と、その作業者が身につける前記安全具のＩＤ情報とを保持するデータベースを有し、前記ＲＦＩＤタグリーダを介して前記安全具からその安全具のＩＤ情報を受信すると、その受信した安全具のＩＤ情報と前記データベースの前記要安全確保作業場所で作業する予定の作業者が身につける前記安全具のＩＤ情報とが同一か否かを判断して、同一の場合には前記要安全確保作業場所で作業する予定の作業者がその要安全確保作業場所で安全具を使用状態にしている旨の情報を前記管理端末に出力し、同一でない場合は前記要安全確保作業場所で作業する予定でない作業者がその要安全確保作業場所で安全具を使用状態にしている旨の情報を前記管理端末に出力するものである、作業者管理支援システム。
【請求項６】
前記データベースサーバは、前記ＲＦＩＤタグリーダを介して前記安全具からその安全具のＩＤ情報を一旦受信した後、そのＩＤ情報を受信しなくなると、その受信しなくなったＩＤ情報の安全具を身につけた作業者がその安全具を使用状態にしていない旨の情報を前記管理端末に出力するものである、請求項５記載の作業者管理支援システム。
【請求項７】
作業場所に配置されるアクティブＲＦＩＤタグと、
作業者が所持するＲＦＩＤタグリーダ及び携帯端末と、
前記ＲＦＩＤタグリーダ及び前記携帯端末と通信回線を介して通信可能なデータベースサーバと、
前記データベースサーバに接続された管理端末と、
を具え、
前記データベースサーバは、前記作業者が所持する前記ＲＦＩＤタグリーダのＩＤ情報と、その作業者に関する情報と、前記作業場所で作業する予定の作業者および作業内容に関する情報とを保持するデータベースを有し、前記アクティブＲＦＩＤタグからそのＩＤ情報を受信する前記ＲＦＩＤタグリーダのＩＤ情報を受信すると、その受信したＲＦＩＤタグリーダのＩＤ情報と前記データベースの前記作業場所で作業する予定の作業者が所持する前記ＲＦＩＤタグリーダのＩＤ情報とが同一か否かを判断し、同一の場合には前記作業場所で作業する予定の作業者がその作業場所にいる旨の情報を前記管理端末に出力し、同一でない場合は前記作業場所で作業する予定でない作業者がその作業場所にいる旨の情報を前記管理端末に出力するものである、作業者管理支援システム。
【請求項８】
前記データベースサーバは、前記作業者が所持する携帯端末から作業開始信号及び作業終了信号を受信して、その作業開始信号の受信から作業終了信号の受信までの間を作業時間中と判断し、前記作業時間中と判断している間で、前記作業開始信号の受信後所定時間内に、前記作業場所で作業する予定の作業者が所持する前記ＲＦＩＤタグリーダのＩＤ情報を受信しない場合には、前記作業場所で作業する予定の作業者がその作業場所にいない旨の情報を前記管理端末に出力するものである、請求項７記載の作業者管理支援システム。
【請求項９】
前記作業者が所持する携帯端末は、ＧＰＳ機能も持ち、
前記データベースサーバは、通信回線を介して前記携帯端末とも通信可能であり、前記携帯端末からそのＩＤ情報とＧＰＳ位置情報とを通信回線を介して受信すると、その受信した携帯端末のＩＤ情報と前記データベースの前記作業者が所持する携帯端末のＩＤ情報とを照合してその受信した携帯端末を所持する作業者を特定するとともに、前記ＧＰＳ位置情報からその作業者の位置を求めて前記データベースのその作業者に関する情報とともに前記管理端末に出力する、請求項７または８記載の作業者管理支援システム。
【請求項１０】
要安全確保作業場所を含む作業場所に配置され、常時ＩＤ情報を送信するアクティブＲＦＩＤタグと、
使用状態になるとＯＮになるＲＦＩＤタグリーダを内蔵した安全具と、
前記ＲＦＩＤタグリーダと通信回線を介して通信可能なデータベースサーバと、
前記データベースサーバに接続された管理端末と、
を具え、
前記データベースサーバは、前記作業場所で作業する予定の作業者に関する情報と、その作業者が身につける前記安全具のＩＤ情報とを保持するデータベースを有し、前記アクティブＲＦＩＤタグからそのＩＤ情報を受信する前記ＲＦＩＤタグリーダのＩＤ情報を受信すると、その受信したＲＦＩＤタグリーダのＩＤ情報と前記データベースの前記要安全確保作業場所で作業する予定の作業者が身につける前記ＲＦＩＤタグリーダのＩＤ情報とが同一か否かを判断して、同一の場合には前記要安全確保作業場所で作業する予定の作業者がその要安全確保作業場所で安全具を使用状態にしている旨の情報を前記管理端末に出力し、同一でない場合は前記要安全確保作業場所で作業する予定でない作業者がその要安全確保作業場所で安全具を使用状態にしている旨の情報を前記管理端末に出力するものである、作業者管理支援システム。
【請求項１１】
前記データベースサーバは、前記ＲＦＩＤタグリーダを介して前記アクティブＲＦＩＤタグのＩＤ情報を一旦受信した後、前記ＲＦＩＤタグリーダのＩＤ情報を受信しなくなると、前記ＲＦＩＤタグリーダを内蔵する安全具を身につけた作業者がその安全具を使用状態にしていない旨の情報を前記管理端末に出力するものである、請求項１０記載の作業者管理支援システム。
【請求項１２】
前記アクティブＲＦＩＤタグは、前記作業場所に常時配置されている、請求項７から１１のいずれか一項記載の作業者管理支援システム。
【請求項１３】
作業管理者が所持する管理用携帯端末をさらに具え、
前記データベースサーバは、前記管理端末に出力する情報を、前記管理端末の代わりにもしくは前記管理端末に加えて前記管理用携帯端末へ出力する、請求項１から１２のいずれか一項記載の作業者管理支援システム。
【請求項１４】
当該安全具が使用状態になるとＯＮになる使用状態検知スイッチと、
前記使用状態検知スイッチに接続されて、その使用状態検知スイッチがＯＮになっている間は常時ＩＤ情報を送信するＲＦＩＤタグ用ＩＣチップと、
を有する、請求項５記載の作業者管理支援システム用のアクティブＲＦＩＤタグ機能付安全具。
【請求項１５】
当該安全具が使用状態になるとＯＮになる使用状態検知スイッチと、
前記使用状態検知スイッチに接続されて、その使用状態検知スイッチがＯＮになっている間は常時ＩＤ情報を送信するＲＦＩＤタグリーダと、
を有する、請求項１０記載の作業者管理支援システム用のＲＦＩＤタグリーダ機能付安全具。
【発明の詳細な説明】
【技術分野】
【０００１】
この発明は、作業場所での作業者の管理および要安全確保作業場所での作業者による安全具の使用の管理を支援するとともに、広域での作業者の配置の管理を支援する作業者管理支援システムに関するものである。
【背景技術】
【０００２】
通信事業者等が携帯電話回線の基地局やケーブル等を設置する際、要安全確保作業場所としての、鉄塔の先端やビルの屋上等の高所作業場所での設置作業になる場合があり、かかる場合には高所作業に適した作業者をその高所作業場所に配置する必要がある。
【０００３】
また高所作業の際に、作業者は安全具としてのキーロック本体を装備した安全帯を腰等に装着し、作業場所に一端を連結した安全ロープの他端のロックレバーをそのキーロック本体に差し込んでロックすることでキーロック本体を使用状態として落下防止を図る必要があり、キーロック本体は、一旦ロックレバーをロックすると別の安全ロープのロックレバーを差し込んでロックするか解除キーを差し込むかしない限り先のロックレバーのロックを解除しないロック機構を持ち、解除キーは通常、作業管理者が管理しているので、高所での作業中の作業者の安全を確保できる。
このように、作業者が用いる安全具の使用状態を確認するものとして、例えば、「安全帯のロープ又はワイヤー用確認マーカー」（特許文献１参照）が知られている。
【先行技術文献】
【特許文献】
【０００４】
【特許文献１】登録実用新案第３１３５９４９号公報
【発明の概要】
【発明が解決しようとする課題】
【０００５】
しかしながら、作業管理者は、作業時間中は通常、工事事務所に駐在することが多いため、従来は、高所作業場所等の作業場所に、そこで作業する予定の作業者が到着していること、そしてその作業者が作業時間中その作業場所にいること、さらには要安全確保作業場所の一つである高所作業場所で作業者が安全具を使用状態にしていることを作業管理者が確認するのが困難であり、作業者の自主管理によらざるを得なかったので、客観的に管理するのが困難であった。
【課題を解決するための手段】
【０００６】
この発明は上記課題を有利に解決することを目的とするものであり、この発明の作業者管理支援システムは、何れか一方を作業者が所持し、何れか他方を作業場所に配置する、ＲＦＩＤ（Ｒａｄｉｏ  Ｆｒｅｑｕｅｎｃｙ  ＩＤｅｎｔｉｆｉｃａｔｉｏｎ）タグ及びＲＦＩＤタグリーダと、前記作業者が所持する、前記ＲＦＩＤタグ及び前記ＲＦＩＤタグリーダの何れか一方のＩＤ情報、及び前記作業場所で作業する予定の作業者と作業内容に関する情報を保持するデータベースと共に、前記ＲＦＩＤタグリーダと通信回線を介して通信する通信機能を備え、前記ＲＦＩＤタグリーダを介して受信した前記ＲＦＩＤタグのＩＤ情報若しくは前記ＲＦＩＤタグリーダのＩＤ情報と、前記データベースの前記作業場所で作業する予定の作業者に関するＩＤ情報の一致により、前記作業場所に前記作業場所で作業する予定の作業者がいるか否かを判断し、判断結果情報を出力するデータベースサーバと、前記データベースサーバに接続され、前記判断結果情報を受信する管理端末とを有することを特徴としている。
【０００７】
また、この発明の作業者管理支援システムは、作業者が所持するＲＦＩＤタグ機能付携帯端末と、作業場所に配置されるＲＦＩＤタグリーダと、前記ＲＦＩＤタグリーダと通信回線を介して通信可能なデータベースサーバと、前記データベースサーバに接続された管理端末と、を具え、前記データベースサーバは、前記作業者が所持する前記携帯端末のＩＤ情報と、その作業者に関する情報と、前記作業場所で作業する予定の作業者および作業内容に関する情報とを保持するデータベースを有し、前記ＲＦＩＤタグリーダを介して前記携帯端末からそのＩＤ情報を受信すると、その受信した携帯端末のＩＤ情報と前記データベースの前記作業場所で作業する予定の作業者が所持する前記携帯端末のＩＤ情報とが同一か否かを判断し、同一の場合には前記作業場所で作業する予定の作業者がその作業場所にいる旨の情報を前記管理端末に出力し、同一でない場合は前記作業場所で作業する予定でない作業者がその作業場所にいる旨の情報を前記管理端末に出力するものであることを特徴としている。
【０００８】
また、この発明の作業者管理支援システムは、使用状態になるとＯＮになってその使用状態の間常時ＩＤ情報を送信するアクティブＲＦＩＤタグ機能付安全具と、要安全確保作業場所を含む作業場所に配置されるＲＦＩＤタグリーダと、前記ＲＦＩＤタグリーダと通信回線を介して通信可能なデータベースサーバと、前記データベースサーバに接続された管理端末と、を具え、前記データベースサーバは、前記作業場所で作業する予定の作業者に関する情報と、その作業者が身につける前記安全具のＩＤ情報とを保持するデータベースを有し、前記ＲＦＩＤタグリーダを介して前記安全具からその安全具のＩＤ情報を受信すると、その受信した安全具のＩＤ情報と前記データベースの前記要安全確保作業場所で作業する予定の作業者が身につける前記安全具のＩＤ情報とが同一か否かを判断して、同一の場合には前記要安全確保作業場所で作業する予定の作業者がその要安全確保作業場所で安全具を使用状態にしている旨の情報を前記管理端末に出力し、同一でない場合は前記要安全確保作業場所で作業する予定でない作業者がその要安全確保作業場所で安全具を使用状態にしている旨の情報を前記管理端末に出力するものであることを特徴としている。
【０００９】
また、この発明の作業者管理支援システムは、作業場所に配置されるアクティブＲＦＩＤタグと、作業者が所持するＲＦＩＤタグリーダ及び携帯端末と、前記ＲＦＩＤタグリーダ及び前記携帯端末と通信回線を介して通信可能なデータベースサーバと、前記データベースサーバに接続された管理端末と、を具え、前記データベースサーバは、前記作業者が所持する前記ＲＦＩＤタグリーダのＩＤ情報と、その作業者に関する情報と、前記作業場所で作業する予定の作業者および作業内容に関する情報とを保持するデータベースを有し、前記アクティブＲＦＩＤタグからそのＩＤ情報を受信する前記ＲＦＩＤタグリーダのＩＤ情報を受信すると、その受信したＲＦＩＤタグリーダのＩＤ情報と前記データベースの前記作業場所で作業する予定の作業者が所持する前記ＲＦＩＤタグリーダのＩＤ情報とが同一か否かを判断し、同一の場合には前記作業場所で作業する予定の作業者がその作業場所にいる旨の情報を前記管理端末に出力し、同一でない場合は前記作業場所で作業する予定でない作業者がその作業場所にいる旨の情報を前記管理端末に出力するものであることを特徴としている。
【００１０】
また、この発明の作業者管理支援システムは、要安全確保作業場所を含む作業場所に配置され、常時ＩＤ情報を送信するアクティブＲＦＩＤタグと、使用状態になるとＯＮになるＲＦＩＤタグリーダを内蔵した安全具と、前記ＲＦＩＤタグリーダと通信回線を介して通信可能なデータベースサーバと、前記データベースサーバに接続された管理端末と、を具え、前記データベースサーバは、前記作業場所で作業する予定の作業者に関する情報と、その作業者が身につける前記安全具のＩＤ情報とを保持するデータベースを有し、前記アクティブＲＦＩＤタグからそのＩＤ情報を受信する前記ＲＦＩＤタグリーダのＩＤ情報を受信すると、その受信したＲＦＩＤタグリーダのＩＤ情報と前記データベースの前記要安全確保作業場所で作業する予定の作業者が身につける前記安全具のＩＤ情報とが同一か否かを判断して、同一の場合には前記要安全確保作業場所で作業する予定の作業者がその要安全確保作業場所で安全具を使用状態にしている旨の情報を前記管理端末に出力し、同一でない場合は前記要安全確保作業場所で作業する予定でない作業者がその要安全確保作業場所で安全具を使用状態にしている旨の情報を前記管理端末に出力するものであることを特徴としている。
【発明の効果】
【００１１】
この発明の作業者管理支援システムにあっては、ＲＦＩＤタグ及びＲＦＩＤタグリーダの何れか一方を作業者が所持して、何れか他方を作業場所に配置し、作業者が所持する、ＲＦＩＤタグ及びＲＦＩＤタグリーダの何れか一方のＩＤ情報、及び作業場所で作業する予定の作業者と作業内容に関する情報を保持するデータベースと共に、ＲＦＩＤタグリーダと通信回線を介して通信する通信機能を備えたデータベースサーバが、ＲＦＩＤタグリーダを介して受信したＲＦＩＤタグのＩＤ情報若しくはＲＦＩＤタグリーダのＩＤ情報と、データベースの作業場所で作業する予定の作業者に関するＩＤ情報の一致により、作業場所に、作業場所で作業する予定の作業者がいるか否かを判断して、判断結果情報を出力し、この判断結果情報を、データベースサーバに接続された管理端末が受信する。
【００１２】
また、この発明の作業者管理支援システムにあっては、作業者がＲＦＩＤタグ機能付携帯端末を所持し、作業場所にＲＦＩＤタグリーダを配置し、ＲＦＩＤタグリーダと通信回線を介して通信可能なデータベースサーバおよびそのデータベースサーバに接続された管理端末を本社あるいは協力会社もしくは作業管理者が駐在することが多い工事事務所等に配置しておけば、データベースサーバは、作業者が所持する携帯端末のＩＤ情報と、その作業者に関する情報と、作業場所で作業する予定の作業者および作業内容に関する情報とを保持するデータベースを有するので、ＲＦＩＤタグリーダを介して携帯端末からそのＩＤ情報を受信すると、その受信した携帯端末のＩＤ情報とデータベースの上記作業場所で作業する予定の作業者が所持する携帯端末のＩＤ情報とが同一か否かを判断し、同一の場合には上記作業場所で作業する予定の作業者がその作業場所にいる旨の情報を管理端末に出力し、同一でない場合は上記作業場所で作業する予定でない作業者がその作業場所にいる旨の情報を管理端末に出力する。
【００１３】
従って、上記構成を有することにより、所定の作業場所で作業する予定の作業者がその作業場所にいるか否かを、本社あるいは協力会社もしくは作業管理者が駐在することが多い工事事務所等で管理端末から確認し得るので、作業者の客観的な管理を容易に行うことができる。
【００１４】
なお、この発明の作業者管理支援システムにおいては、前記データベースサーバは、前記ＲＦＩＤタグリーダから作業開始信号および作業終了信号を受信して、その作業開始信号の受信から作業終了信号の受信までの間を作業時間中と判断し、前記作業時間中と判断している間で、前記作業開始信号の受信後所定時間内に、前記作業場所で作業する予定の作業者が所持する前記携帯端末のＩＤ情報を前記ＲＦＩＤタグリーダを介して前記携帯端末から受信しない場合には、前記作業場所で作業する予定の作業者がその作業場所にいない旨の情報を前記管理端末に出力するものであることが好ましい。このようにすれば、作業時間中に所定の作業場所にその作業場所で作業する予定の作業者が到着しているか否かを、本社あるいは協力会社もしくは作業管理者が駐在することが多い工事事務所等で管理端末から確認し得るので、作業者の客観的な管理を容易に行うことができる。
【００１５】
また、この発明の作業者管理支援システムにおいては、前記作業者が所持するＲＦＩＤタグ機能付携帯端末は、ＧＰＳ機能も持ち、前記データベースサーバは、通信回線を介して前記携帯端末とも通信可能であり、前記携帯端末からそのＩＤ情報とＧＰＳ位置情報とを通信回線を介して受信すると、その受信した携帯端末のＩＤ情報と前記データベースの前記作業者が所持する前記携帯端末のＩＤ情報とを照合してその受信した携帯端末を所持する作業者を特定するとともに、前記ＧＰＳ位置情報からその作業者の位置を求めて前記データベースのその作業者に関する情報とともに前記管理端末に出力するものであることが好ましい。このようにすれば、本社あるいは協力会社等で、各作業者の適性を考慮した広域での作業者の配置の管理を容易に行うことができる。
【００１６】
また、この発明の作業者管理支援システムにあっては、要安全確保作業場所で作業を行う予定の作業者がアクティブＲＦＩＤタグ機能付安全具を体に装着し、要安全確保作業場所を含む作業場所にＲＦＩＤタグリーダを配置し、ＲＦＩＤタグリーダと通信回線を介して通信可能なデータベースサーバおよびそのデータベースサーバに接続された管理端末を本社あるいは協力会社もしくは作業管理者が駐在することが多い工事事務所等に配置しておけば、上記作業者が要安全確保作業場所でその作業場所に一端を連結した安全ロープ等の他端を安全具にロックすることによりアクティブＲＦＩＤタグ機能付安全具を使用状態にすると、その安全具のアクティブＲＦＩＤタグ機能がＯＮになってその使用状態の間常時ＩＤ情報を送信し、データベースサーバは、上記作業場所で作業する予定の作業者に関する情報と、その作業者が身につける上記安全具のＩＤ情報を保持するデータベースを有するので、ＲＦＩＤタグリーダを介して上記安全具からその安全具のＩＤ情報を受信すると、その受信した安全具のＩＤ情報とデータベースの上記要安全確保作業場所で作業する予定の作業者が身につける安全具のＩＤ情報とが同一か否かを判断して、同一の場合には上記要安全確保作業場所で作業する予定の作業者がその要安全確保作業場所で安全具を使用状態にしている旨の情報を管理端末に出力し、同一でない場合は上記要安全確保作業場所で作業する予定でない作業者がその要安全確保作業場所で安全具を使用状態にしている旨の情報を管理端末に出力する。
【００１７】
従って、上記構成を有することにより、所定の要安全確保作業場所で作業する予定の作業者がその要安全確保作業場所で安全具を使用状態にしているか否かを、本社あるいは協力会社もしくは作業管理者が駐在することが多い工事事務所等で管理端末から確認し得るので、要安全確保作業場所での作業者の客観的な管理、特に安全管理を容易に行うことができる。
【００１８】
また、この発明の作業者管理支援システムにおいては、前記データベースサーバは、前記ＲＦＩＤタグリーダを介して前記安全具からその安全具のＩＤ情報を一旦受信した後、そのＩＤ情報を受信しなくなると、その受信しなくなったＩＤ情報の安全具を身につけた作業者がその安全具を使用状態にしていない旨の情報を前記管理端末に出力するものであることが好ましい。このようにすれば、例えば作業時間中に安全具をきちんと使用状態にし続けているか否かを、本社あるいは協力会社もしくは作業管理者が駐在することが多い工事事務所等で管理端末から確認し得るので、要安全確保作業場所での作業者の客観的な管理、特に安全管理を確実に行うことができる。
【００１９】
また、この発明の作業者管理支援システムにあっては、作業場所に配置されるアクティブＲＦＩＤタグと、作業者が所持するＲＦＩＤタグリーダ及び携帯端末と、前記ＲＦＩＤタグリーダ及び前記携帯端末と通信回線を介して通信可能なデータベースサーバと、前記データベースサーバに接続された管理端末と、を具え、前記データベースサーバは、前記作業者が所持する前記ＲＦＩＤタグリーダのＩＤ情報と、その作業者に関する情報と、前記作業場所で作業する予定の作業者および作業内容に関する情報とを保持するデータベースを有し、前記アクティブＲＦＩＤタグからそのＩＤ情報を受信する前記ＲＦＩＤタグリーダのＩＤ情報を受信すると、その受信したＲＦＩＤタグリーダのＩＤ情報と前記データベースの前記作業場所で作業する予定の作業者が所持する前記ＲＦＩＤタグリーダのＩＤ情報とが同一か否かを判断し、同一の場合には前記作業場所で作業する予定の作業者がその作業場所にいる旨の情報を前記管理端末に出力し、同一でない場合は前記作業場所で作業する予定でない作業者がその作業場所にいる旨の情報を前記管理端末に出力する。
【００２０】
従って、上記構成を有することにより、作業場所にアクティブＲＦＩＤタグを配置し、作業者にＲＦＩＤタグリーダを所持させても、所定の作業場所で作業する予定の作業者がその作業場所にいるか否かを、本社或いは協力会社若しくは作業管理者が駐在することが多い工事事務所等で管理端末から確認し得るので、作業者の客観的な管理を容易に行うことができる。
【００２１】
また、この発明の作業者管理支援システムにおいては、前記データベースサーバは、前記作業者が所持する携帯端末から作業開始信号及び作業終了信号を受信して、その作業開始信号の受信から作業終了信号の受信までの間を作業時間中と判断し、前記作業時間中と判断している間で、前記作業開始信号の受信後所定時間内に、前記作業場所で作業する予定の作業者が所持する前記ＲＦＩＤタグリーダのＩＤ情報を受信しない場合には、前記作業場所で作業する予定の作業者がその作業場所にいない旨の情報を前記管理端末に出力するものであることが好ましい。このようにすれば、作業時間中に所定の作業場所にその作業場所で作業する予定の作業者が到着しているか否かを、本社あるいは協力会社もしくは作業管理者が駐在することが多い工事事務所等で管理端末から確認し得るので、作業者の客観的な管理を容易に行うことができる。
【００２２】
また、この発明の作業者管理支援システムにおいては、前記作業者が所持する携帯端末は、ＧＰＳ機能も持ち、前記データベースサーバは、通信回線を介して前記携帯端末とも通信可能であり、前記携帯端末からそのＩＤ情報とＧＰＳ位置情報とを通信回線を介して受信すると、その受信した携帯端末のＩＤ情報と前記データベースの前記作業者が所持する携帯端末のＩＤ情報とを照合してその受信した携帯端末を所持する作業者を特定するとともに、前記ＧＰＳ位置情報からその作業者の位置を求めて前記データベースのその作業者に関する情報とともに前記管理端末に出力することが好ましい。このようにすれば、本社あるいは協力会社等で、各作業者の適性を考慮した広域での作業者の配置の管理を容易に行うことができる。
【００２３】
また、この発明の作業者管理支援システムにあっては、要安全確保作業場所を含む作業場所に配置され、常時ＩＤ情報を送信するアクティブＲＦＩＤタグと、使用状態になるとＯＮになるＲＦＩＤタグリーダを内蔵した安全具と、前記ＲＦＩＤタグリーダと通信回線を介して通信可能なデータベースサーバと、前記データベースサーバに接続された管理端末とを具えており、前記データベースサーバは、前記作業場所で作業する予定の作業者に関する情報と、その作業者が身につける前記安全具のＩＤ情報とを保持するデータベースを有し、前記アクティブＲＦＩＤタグからそのＩＤ情報を受信する前記ＲＦＩＤタグリーダのＩＤ情報を受信すると、その受信したＲＦＩＤタグリーダのＩＤ情報と前記データベースの前記要安全確保作業場所で作業する予定の作業者が身につける前記安全具のＩＤ情報とが同一か否かを判断して、同一の場合には前記要安全確保作業場所で作業する予定の作業者がその要安全確保作業場所で安全具を使用状態にしている旨の情報を前記管理端末に出力し、同一でない場合は前記要安全確保作業場所で作業する予定でない作業者がその要安全確保作業場所で安全具を使用状態にしている旨の情報を前記管理端末に出力する。
【００２４】
従って、上記構成を有することにより、所定の要安全確保作業場所で作業する予定の作業者がその要安全確保作業場所で安全具を使用状態にしているか否かを、本社あるいは協力会社もしくは作業管理者が駐在することが多い工事事務所等で管理端末から確認し得るので、要安全確保作業場所での作業者の客観的な管理、特に安全管理を容易に行うことができる。加えて、要安全確保作業場所を含む作業場所にアクティブＲＦＩＤタグを配置し、作業者がＲＦＩＤタグリーダを内蔵した安全具を所持することで、作業性の向上を図ることができると共に作業コストを低減することができる。
【００２５】
また、この発明の作業者管理支援システムにおいては、前記データベースサーバは、前記ＲＦＩＤタグリーダを介して前記アクティブＲＦＩＤタグのＩＤ情報を一旦受信した後、前記ＲＦＩＤタグリーダのＩＤ情報を受信しなくなると、前記ＲＦＩＤタグリーダを内蔵する安全具を身につけた作業者がその安全具を使用状態にしていない旨の情報を前記管理端末に出力するものであることが好ましい。このようにすれば、例えば作業時間中に安全具をきちんと使用状態にし続けているか否かを、本社あるいは協力会社もしくは作業管理者が駐在することが多い工事事務所等で管理端末から確認し得るので、要安全確保作業場所での作業者の客観的な管理、特に安全管理を確実に行うことができる。
【００２６】
また、この発明の作業者管理支援システムにおいては、前記アクティブＲＦＩＤタグは、前記作業場所に常時配置されていることが好ましい。このようにすれば、作業開始前にアクティブＲＦＩＤタグを配置し、作業開始後にアクティブＲＦＩＤタグを撤去する必要がないので、作業を効率良く行うことができる。
【００２７】
また、この発明の作業者管理支援システムにおいては、作業管理者が所持する管理用携帯端末をさらに具え、前記データベースサーバは、前記管理端末に出力する情報を、前記管理端末の代わりにもしくは前記管理端末に加えて前記管理用携帯端末へ出力することが好ましい。このようにすれば、作業管理者がどこにいても作業者に関する上記情報をデータベースサーバから得られるので、作業者の客観的な管理をより容易に行うことができる。
【００２８】
そして、この発明の作業者管理支援システム用のアクティブＲＦＩＤタグ機能付安全具は、当該安全具が使用状態になるとＯＮになる使用状態検知スイッチと、前記使用状態検知スイッチに接続されて、その使用状態検知スイッチがＯＮになっている間は常時ＩＤ情報を送信するＲＦＩＤタグ用ＩＣチップと、を有するものであり、かかるアクティブＲＦＩＤタグ機能付安全具によれば、この発明の作業者管理支援システムの効果をもたらすことができる。
【００２９】
また、この発明の作業者管理支援システム用のＲＦＩＤタグリーダ機能付安全具は、当該安全具が使用状態になるとＯＮになる使用状態検知スイッチと、前記使用状態検知スイッチに接続されて、その使用状態検知スイッチがＯＮになっている間は常時ＩＤ情報を送信するＲＦＩＤタグリーダと、を有するものであり、かかるアクティブＲＦＩＤタグリーダ機能付安全具によれば、この発明の作業者管理支援システムの効果をもたらすことができる。
【図面の簡単な説明】
【００３０】
【図１】この発明の作業者管理支援システムの第１実施例の構成を示す略線図である。
【図２】（ａ），（ｂ），（ｃ）は、上記実施例の作業者管理支援システムが具える安全具としてのアクティブＲＦＩＤタグ機能付キーロック本体を示す平面図、正面図および側面図である。
【図３】上記実施例の作業者管理支援システムで広域での作業者の配置の管理を行う場合を示す略線図である。
【図４】作業者管理支援システムの第２実施例に係る高所作業における監視状態を模式的に示す説明図である。
【図５】作業者管理支援システムの第２実施例における高所作業の流れを時間経過に沿って示す説明図である。
【図６】作業者管理支援システムの第３実施例における高所作業の流れを時間経過に沿って示す説明図である。
【発明を実施するための形態】
【００３１】
以下、本発明の実施の形態を、図面に示す実施例に基づき詳細に説明する。
（第１実施例）
図１は、この発明の作業者管理支援システムの第１実施例の構成を示す略線図、図２（ａ），（ｂ），（ｃ）は、その実施例の作業者管理支援システムが具える安全具としてのアクティブＲＦＩＤタグ機能付キーロック本体を示す平面図、正面図および側面図、そして図３は、上記実施例の作業者管理支援システムで広域での作業者の配置の管理を行う場合を示す略線図である。
【００３２】
この実施例の作業者管理支援システムは、携帯端末としての、既に広く普及している携帯電話機のＧＰＳ（グローバル・ポジショニング・システム）機能により、広域での作業者の配置状況を遠隔から確認できるようにするとともに、携帯電話機と安全具としてのキーロック（登録商標）とに付加されたＲＦＩＤタグにより、要安全確保作業場所としての、鉄塔等の高所作業場所における作業者の配置および安全具の使用状況を遠隔から確認できるようにするものである。
【００３３】
具体的にはこの実施例の作業者管理支援システムは、図１に示すように、各作業者が所持するＲＦＩＤタグ機能付携帯端末としての例えば通常のＲＦＩＤタグ機能付携帯電話機１と、作業場所としての例えば鉄塔の基部（Zone0）、中間部（Zone1）および上部（Zone2）にそれぞれ配置される通常のＲＦＩＤタグリーダ２と、それらのＲＦＩＤタグリーダ２と通信回線としての例えばインターネットを介して通信可能な通常のデータベースサーバ３と、そのデータベースサーバ３に接続された通常のパーソナルコンピュータからなる管理端末４と、作業管理者が所持する通常の携帯電話機５と、アクティブＲＦＩＤタグ機能付安全具としての、高所作業場所での落下防止用のアクティブＲＦＩＤタグ機能付キーロック本体６とを具えている。
【００３４】
ＲＦＩＤタグ機能付携帯電話機１はそのケース内に、静止衛星からの電波を利用したＧＰＳ機能を含む通常の携帯電話機の機能部品の他に、ＲＦＩＤタグ（無線式認証タグ）用ＩＣ（集積回路）チップと、そのチップに接続されたアンテナコイルとを内蔵し、ＲＦＩＤタグリーダ２から所定距離内（例えば１ｍ以内）にそのアンテナコイルが位置すると、ＲＦＩＤタグリーダ２からそのアンテナコイルを介してＲＦＩＤタグ用ＩＣチップに電磁誘導によって給電されて、そのＲＦＩＤタグ用ＩＣチップ内のメモリに記録した当該ＩＤタグの識別符号をアンテナコイルからＲＦＩＤタグリーダ２へ無線で送信する。
【００３５】
またＲＦＩＤタグリーダ２は、上述のようにＲＦＩＤタグ用ＩＣ（集積回路）チップにアンテナコイルを介して給電して、そのＲＦＩＤタグ用ＩＣチップのＩＤタグの識別符号を無線で送信させ、それを受信して出力するとともに、当該ＲＦＩＤタグリーダ２自身のＩＤ情報としての識別符号を出力する。さらにＲＦＩＤタグリーダ２は、作業管理者等の操作によって、作業開始情報および作業終了情報を出力する。
【００３６】
データベースサーバ３は、インターネットおよびＬＡＮ（ローカルエリアネットワーク）並びに携帯電話回線との通信機能を持つ通常のコンピュータ３ａと、そのコンピュータ３ａに接続されたデータベース用ハードディスクドライブ装置３ｂとを有し、コンピュータ３ａは、管理端末４に接続されてその管理端末４から操作されるとともに、図示しない有線または無線のネットワーク（インターネット、ＬＡＮ等）を介して各ＲＦＩＤタグリーダ２と接続されている。これらデータベースサーバ３および管理端末４は、図１および図３に示すように、当該システムを所有する企業の本社、工事事務所または協力会社等に配備することができる。
【００３７】
アクティブＲＦＩＤタグ機能付のキーロック本体６は、後述のように使用状態にするとＯＮになってその使用状態の間常時ＩＤ情報を送信するアクティブＲＦＩＤタグ機能を奏するもので、図２に示すように、作業者が腰等に装着する図示しない安全帯にケース６ａの背面の金属環６ｃで固着されるとともに、ケース６ａの内部に図示しない既知のロック機構を有しており、このロック機構は、作業場所に一端を連結した安全ロープ７の他端に編み付けられたロックレバー７ａを一旦何れかの差込口６ｂから差し込むとその差込動作に連動してそのロックレバー７ａの孔に図示しないピンを挿入して掛合させてロックレバー７ａをロックし、作業場所の他の位置に一端を連結した別の安全ロープ７のロックレバー７ａをもう一方の差込口６ｂから差し込むとその差込動作に連動してそのロックレバー７ａの孔に図示しない他のピンを挿入して掛合させるとともに先のピンを先のロックレバー７ａの孔から引き出して先のロックレバー７ａのロックを解除するよう作動するものである。
【００３８】
このロック機構により作業者は、高所作業場所で落下防止を図りながら移動することができ、またピンが掛合しない形状の図示しない解除キーをもう一方の差込口６ｂから差し込んでも、ロック機構が先のピンを先のロックレバー７ａの孔から引き出して先のロックレバー７ａのロックを解除するので、作業終了後は安全ロープ７の取り外しができる。
【００３９】
このキーロック本体６がこの実施例では、ＲＦＩＤタグ機能付携帯電話機１のＲＦＩＤタグ用ＩＣチップと同様の構成で高周波出力がそれより多少大きい（例えば到達距離１０ｍの）ＲＦＩＤタグ用ＩＣチップ６ｄと、そのＩＣチップ６ｄに接続された図示しないアンテナコイルと、図示しない電池と、そのＩＣチップ６ｄに接続されるとともに上記電池にも接続されて、ロックレバー７ａが対応する差込口６ｂから差し込まれてロック位置にある場合にＯＮになってＩＣチップ６ｄに給電する二つのマイクロスイッチ６ｅとを内蔵している。これにより、キーロック本体６が、ロックレバー７ａが何れかの差込口６ｂから差し込まれてロックされた使用状態にされている間は、対応するマイクロスイッチ６ｅが常時ＯＮになってＩＣチップ６ｄに給電し、ＲＦＩＤタグ用ＩＣチップ６がそのＩＣチップ６内のメモリに記録した当該ＩＤタグの識別符号をアンテナコイルからＲＦＩＤタグリーダ２へ無線で常時送信する。
【００４０】
データベースサーバ３のデータベース３ｂは、各作業者が所持するＲＦＩＤタグ機能付携帯電話機１のＩＤ情報であるＩＤタグの識別符号と、その作業者の氏名、生年月日および保有資格等の情報と、その作業者が高所作業者であって上記アクティブＲＦＩＤタグ機能付キーロック本体６を所持している場合のその作業者と関連付けたキーロック本体６のＩＤタグの識別符号と、各作業場所の工事実施日、実施時間、工事名、サイト名、その作業場所で作業する予定の作業者名および必要資格等の情報と、各ＲＦＩＤタグリーダ２がどの作業場所でどの高さに配置されているかの情報と、アラーム転送先情報としての、作業管理者が所持する携帯電話機５の電話番号と、を保持する。
【００４１】
かかるこの実施例のシステムにあっては、先ず事前準備として、管理端末４から、各作業者Ｗの氏名、年齢等の個人情報、使用しているＲＦＩＤタグ機能付携帯電話機１の電話番号およびＩＤタグの識別符号、使用しているキーロック本体６のＩＤタグの識別符号等からなる基本情報をデータベースサーバ３に入力して基本情報データベースを作成し、データベース用ハードディスクドライブ装置３ｂに保存する。
【００４２】
次いで作業準備として、作業日前に作業管理者または同等の権限を有する代務者が、管理端末４から、作業場所の工事実施日、工事名、サイト名、作業開始／終了予定時刻、その作業場所で作業する予定の作業者Ｗの氏名、各ＲＦＩＤタグリーダ２がどの高さに配置されるか、そして作業管理者Ｃが所持する携帯電話機５の電話番号等からなる作業内容を、データベースサーバ３に入力して作業内容データベースを作成し、データベース用ハードディスクドライブ装置３ｂに保存する。なお、専用のキーロック本体６を持たない作業者Ｗについては、使用するキーロック本体６のＩＤタグの識別符号との関連付け（紐付け）を作業の都度実施し、作業内容データベースに保存する。
【００４３】
さらに作業準備として、作業日当日に作業管理者またはその代務者が、図３に括弧で括った数字で示す如く、管理端末４により、携帯電話機１のＧＰＳ位置情報に基づき各作業者Ｗの配置状況を確認する（[1]）。もしも何れかの作業者Ｗの配置変更が必要な場合は、作業主任（班長）Ｒ（図１に示す）は、管理用携帯電話機５を介して作業管理者Ｃに変更を報告し、必要により、作業管理者Ｃは、データベースサーバ３内の作業内容データベースの作業内容を変更する（作業者配置管理）。
【００４４】
次いで作業開始して、作業日当日に作業場所（現場）で、図１および図３に括弧で括った数字で示す如く、当該実施例のシステム環境の構築と、システムの起動とを行う（作業者従事管理）。すなわち、先ず、作業者Ｗに追加や変更のある場合には、作業管理者Ｃは、管理端末４もしくは管理用携帯電話機５から携帯電話網（携帯電話回線）を介してデータベースサーバ３に接続し、事前登録された情報を修正する（[2]）。次いで作業管理者Ｃまたは作業主任（班長）Ｒは各ＲＦＩＤタグリーダ２を、作業場所としての例えば鉄塔の基部（Zone0）より上部（Zone2）に向けて、予め決められた場所（図では中間部（Zone1）を含めて３箇所）にそれぞれ設置し、それらのＲＦＩＤタグリーダ２の電源を投入する（[3]）。電源を投入された各ＲＦＩＤタグリーダ２は、携帯電話網を介してデータベースサーバ３を呼び出し、通信セッションを設定するとともに、自らのＩＤタグの識別符号（高さ情報に対応）をデータベースサーバ３に送信する（[4]）。
【００４５】
作業開始時、その作業場所で作業する予定の各作業者ＷはＲＦＩＤタグ機能付携帯電話機１を鉄塔基部のＲＦＩＤタグリーダ２にかざす（[5]）。ＲＦＩＤタグリーダ２からデータベースサーバ３に送られたＲＦＩＤタグ機能付携帯電話機１のＩＤタグの識別符号が、事前登録されている当該作業場所で作業する予定の作業者Ｗが持つＲＦＩＤタグ機能付携帯電話機１のＩＤタグの識別符号と異なる場合には、データベースサーバ３は、その作業場所で作業する予定でない作業者Ｗがその作業場所にいる旨のアラームを管理端末４に発生させ、同時に、作業管理者Ｃの携帯電話機５にそのアラームを通知する（[6]）。
【００４６】
作業開始時、作業管理者Ｃまたは作業主任（班長）Ｒは、鉄塔基部のＲＦＩＤタグリーダ２を操作し、ＲＦＩＤタグリーダ２からデータベースサーバ３に作業開始情報を送る（[7]）。データベースサーバ３は、あらかじめ登録された作業開始時刻までに作業開始情報を受信できない場合、また、作業開始情報を受信後一定時間内にそこで作業する予定の各作業者ＷのＲＦＩＤタグ機能付携帯電話機１のＲＦＩＤタグからの情報を受信できない場合、その作業場所で作業する予定の作業者Ｗがその作業場所にいない旨のアラームを管理端末４に発生させ、同時に、作業管理者Ｃの携帯電話機５にそのアラームを通知する（[8]）。
【００４７】
作業者Ｗがキーロック本体６を身につけて前述のように使用状態（ＯＮ）にすると、キーロック本体６内のＲＦＩＤタグＩＣチップ６ｄから電波が定常的に発信される（[9]）。キーロック本体６内のＲＦＩＤタグＩＣチップ６ｄからのＩＤタグの識別符号を、作業領域Zone0〜Zone2の何れかの領域内に設置されたＲＦＩＤタグリーダ２が受信すると、そのＲＦＩＤタグリーダ２がその情報をＲＦＩＤタグリーダ２自身の識別符号とともにデータベースサーバ３に転送する（[8]）。
【００４８】
データベースサーバ３は、ＲＦＩＤタグリーダ２から受け取ったキーロック本体６内のＩＤタグの識別符号が、事前に登録されたそのＲＦＩＤタグリーダ２の作業領域内で作業する予定の作業者Ｗが持つキーロック本体６内のＩＤタグの識別符号と異なる場合には、その高所作業場所で作業する予定でない作業者Ｗがその高所作業場所にいる旨のアラームを管理端末４に発生させ、同時に、作業管理者Ｃの携帯電話機５にそのアラームを通知する。また、データベースサーバ３は、ＲＦＩＤタグリーダ２が、作業開始時刻から作業終了時刻までの間の作業時間中に、何れかのキーロック本体６内のＲＦＩＤタグＩＣチップ６ｄから受信していた電波を受信しなくなると、キーロック不使用（ＯＦＦ）状態と判断し、管理端末４から当該キーロック本体６を使用している作業者Ｗについてキーロック不使用状態である旨のアラームを発生させ、同時に、作業管理者Ｃの携帯電話機５にそのアラームを通知する（[9]）。
【００４９】
作業終了時、作業管理者Ｃまたは作業主任（班長）Ｒは、鉄塔基部に設置されたＲＦＩＤタグリーダ２を操作し、そのＲＦＩＤタグリーダ２からデータベースサーバ３に作業終了の情報を送り、設置した各ＲＦＩＤタグリーダ２を撤去する（[10]）。
【００５０】
従って、この実施例の作業者管理支援システムによれば、所定の作業場所で作業する予定の作業者Ｗがその作業場所にいるか否かを、本社あるいは協力会社もしくは作業管理者Ｃが駐在することが多い工事事務所等で管理端末４から確認し得るので、作業者Ｗの客観的な管理を容易に行うことができる。
【００５１】
また、この実施例の作業者管理支援システムによれば、所定の高所作業場所で作業する予定の作業者Ｗがその高所作業場所でキーロック本体６を使用状態にしているか否かを、本社あるいは協力会社もしくは作業管理者Ｃが駐在することが多い工事事務所等で管理端末４から確認し得るので、高所作業場所での作業者Ｗの客観的な管理、特に安全管理を容易に行うことができる。
【００５２】
（第２実施例）
次に、この発明の作業者管理支援システムの第２実施例について説明する。
この発明の作業者管理支援システムの第２実施例にあっては、各作業者は、ＲＦＩＤタグ機能付携帯電話機１のＲＦＩＤタグ、及びアクティブＲＦＩＤタグ機能付安全具としてのキーロック本体６のアクティブＲＦＩＤタグに代えて、ＲＦＩＤタグリーダを所持し、作業場所には、それぞれＲＦＩＤタグリーダ２に代えてアクティブＲＦＩＤタグが配置される。
【００５３】
図４は、作業者管理支援システムの第２実施例に係る高所作業における監視状態を模式的に示す説明図である。図４に示すように、作業者管理支援システムの第２実施例に係る高所作業において、ＲＦＩＤタグリーダ１０を所持する各作業者Ｗが作業する作業場所としての、例えば、鉄塔Ｔの基部、即ち、地上（Zone0）、中間部（Zone1）、及び上部（Zone2）に、それぞれアクティブＲＦＩＤタグ１１が配置されている。
【００５４】
ＲＦＩＤタグリーダ１０は、作業者Ｗが身に着けているキーロック本体６に内蔵されており、他のＲＦＩＤタグリーダと識別するための識別機能を有すると共に、図示しない有線または無線のネットワーク（インターネット、ＬＡＮ等）を介してデータベースサーバ３のコンピュータ３ａと接続するための通信機能を備えている。この通信機能により、ＲＦＩＤタグリーダ１０によりアクティブＲＦＩＤタグ１１から読み取られたＩＤ情報が、ＲＦＩＤタグリーダ１０から離れた場所、即ち、作業現場から離れた場所にあるデータベースサーバ３に送られる。
【００５５】
作業時、作業者Ｗは、ＲＦＩＤタグ及びＧＰＳ機能を備えた携帯端末である、ＧＰＳ機能付き携帯電話機１２と、ＲＦＩＤタグリーダ機能付き安全具である、ＲＦＩＤタグリーダ１０を内蔵したキーロック本体６を所持している。
ＲＦＩＤタグリーダ１０が、他のＲＦＩＤタグリーダと識別するための識別機能としては、ユニークなＩＤ情報を持つ通信デバイス、例えば、携帯電話やＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）等のＩＤ情報を利用する他、ＲＦＩＤタグリーダ１０を内蔵したキーロック本体６にＲＦＩＤタグ（ＩＤ情報）を付加（この場合、ＲＦＩＤタグリーダは通信機能を備えている）しても良い。
【００５６】
ユニークなＩＤ情報を持つ通信デバイスのＩＤ情報を利用する場合、作業者Ｗが所持するＧＰＳ機能付き携帯電話機１２により、或いはキーロック本体６に内蔵されたＲＦＩＤタグリーダ１０に付加した通信機能により、受信した情報の送信元の通信デバイスを特定することで、ＲＦＩＤタグリーダ１０の識別を行う。また、ＲＦＩＤタグリーダ１０を内蔵したキーロック本体６にＲＦＩＤタグを付加する場合、タグ情報によりＲＦＩＤタグリーダの識別を行う。
その他の構成及び作用は、この発明の作業者管理支援システムの第１実施例と同様である。以下、第１実施例との主たる相違点について説明する。
【００５７】
キーロック本体６に内蔵されたＲＦＩＤタグリーダ１０は、そのケース内に、通常のＲＦＩＤタグ（無線式認証タグ）を読み取るための機能部品を内蔵しており、アクティブＲＦＩＤタグ１１のＩＤタグの識別符号を受信すると共に、当該ＲＦＩＤタグリーダ１０自身のＩＤ情報としての識別符号を出力する。なお、ＲＦＩＤタグリーダ１０は、安全具であるキーロック本体６と連係して動作するため、キーロック本体６及びＲＦＩＤタグリーダ１０とは独立して動作するＧＰＳ機能付き携帯電話機（携帯端末装置）１２から、作業開始情報及び作業終了情報を送出する。
【００５８】
アクティブＲＦＩＤタグ１１は、使用状態にある間、常時、ＩＤ情報を送信するアクティブＲＦＩＤタグ機能を有するものであり、使用状態にすると、ＩＤ情報の送信を開始すると共に、自らのＩＤタグの識別符号（高さ情報に対応）を、データベースサーバ３へ送信する（図４参照）。このアクティブＲＦＩＤタグ１１は、作業の開始と終了の都度、作業場所である、例えば、鉄塔Ｔに取り付け或いは鉄塔Ｔから取り外す。
【００５９】
データベースサーバ３のデータベース３ｂは、各作業者が所持するＲＦＩＤタグリーダ１０のＩＤ情報と、その作業者の氏名、生年月日及び保有資格等の作業者に関する情報と、その作業者が高所作業者であってアクティブＲＦＩＤタグ機能付のキーロック本体６（第１実施例参照）を所持している場合の、その作業者と関連付けたキーロック本体６のＩＤ情報と、各作業場所の工事実施日、実施時間、工事名、サイト名、その作業場所で作業する予定の作業者名及び必要資格等の作業の実施に関する情報と、各アクティブＲＦＩＤタグ１１がどの作業場所でどの高さに配置されているかの情報と、アラーム転送先情報としての、作業管理者が所持する携帯電話機５の電話番号と、を保持する。
【００６０】
つまり、この第２実施例の場合、作業者の位置把握を、広域については携帯電話機内蔵のＧＰＳにより行い、狭域（例えば、高所作業中等）についてはキーロック本体６内蔵のＲＦＩＤタグリーダ１０により行い、また、作業種の識別、安全具（キーロック）のオン／オフ動作の連係、データベースサーバ３との通信も、キーロック本体６内蔵のＲＦＩＤタグリーダ１０により行う。そして、高所作業エリア（Zone）の設定は、アクティブＲＦＩＤタグ１１により行う。
【００６１】
この実施例のシステムにあっては、先ず、事前準備として、管理端末４から、各作業者Ｗの氏名、年齢等の個人情報、使用しているＲＦＩＤタグリーダ１０のＩＤ情報、即ち、使用しているキーロック本体６のＩＤ情報等からなる基本情報をデータベースサーバ３に入力して基本情報データベースを作成し、データベース用ハードディスクドライブ装置３ｂに保存する。
【００６２】
次に、作業準備として、作業日前に作業管理者または同等の権限を有する代務者が、管理端末４から、作業場所の工事実施日、工事名、サイト名、作業開始／終了予定時刻、その作業場所で作業する予定の作業者Ｗの氏名、各アクティブＲＦＩＤタグ１１がどの高さに配置されるか、そして、作業管理者Ｃが所持する携帯電話機５の電話番号等からなる作業内容に関する情報を、データベースサーバ３に入力して作業内容データベースを作成し、データベース用ハードディスクドライブ装置３ｂに保存する。
作業準備終了後、高所作業を開始する。
【００６３】
図５は、作業者管理支援システムの第２実施例における高所作業の流れを時間経過に沿って示す説明図である。
図４及び図５に示すように、高所作業の開始に当たって作業者従事管理を行った後、作業管理者Ｃ又は作業主任（班長）Ｒは、高所作業場所としての、例えば、鉄塔の基部（Zone0）より上部（Zone2）に向けて、予め決められた場所（図４では中間部（Zone1）を含む３箇所）それぞれに、アクティブＲＦＩＤタグ１１を配置する（図５参照）。
【００６４】
アクティブＲＦＩＤタグ１１の配置後、作業者Ｗは、所持しているキーロック本体６をオン（ｏｎ）にすることによりＲＦＩＤタグリーダ１０の電源をオンし、それと共に、ＧＰＳ機能付き携帯電話機１２により、携帯電話網を介してデータベースサーバ３を呼び出し、通信セッションを設定すると共に、ＲＦＩＤタグリーダ１０のＩＤ情報をデータベースサーバ３に送信する。
作業が開始されると、その作業場所、例えば、鉄塔Ｔの中間部（Zone1）で作業する予定の各作業者Ｗは、ＲＦＩＤタグリーダ１０を作業場所でアクティブＲＦＩＤタグ１１に臨ませる。これにより、ＲＦＩＤタグリーダ１０は、中間部（Zone1）に配置されたアクティブＲＦＩＤタグ１１のＩＤ情報を受信し、受信したＩＤ情報を、ＲＦＩＤタグリーダ１０のＩＤ情報と共にデータベースサーバ３へ送る（図４参照）。
【００６５】
アクティブＲＦＩＤタグ１１の識別符号（ＩＤ情報）を受信するＲＦＩＤタグリーダ１０からデータベースサーバ３に送られたＲＦＩＤタグリーダ１０のＩＤ情報が、事前登録されている当該作業場所、即ち、中間部（Zone1）で作業する予定の作業者Ｗが持つＲＦＩＤタグリーダ１０のＩＤ情報と異なる場合には、データベースサーバ３は、その作業場所で作業する予定でない作業者Ｗがその作業場所にいる旨のアラームを管理端末４に発生させ、同時に、作業管理者Ｃの携帯電話機５にそのアラームを通知する。
【００６６】
また、作業開始時、作業管理者Ｃ又は作業主任（班長）Ｒは、ＧＰＳ機能付き携帯電話機１２を操作し、ＧＰＳ機能付き携帯電話機１２からデータベースサーバ３に作業開始情報を送る。データベースサーバ３は、予め登録された作業開始時刻までに作業開始情報を受信できない場合、また、作業開始情報を受信後、一定時間内に作業予定場所である中間部（Zone1）に配置されたアクティブＲＦＩＤタグ１１からの情報を受信できない場合、その作業場所で作業する予定の作業者Ｗがその作業場所にいない旨のアラームを管理端末４に発生させ、同時に、作業管理者Ｃの携帯電話機５にそのアラームを通知する。
【００６７】
作業者Ｗによる高所作業の開始後、作業者Ｗが作業場所である鉄塔Ｔを移動中も、ＲＦＩＤタグリーダ１０により読み取られたアクティブＲＦＩＤタグ１１からのＩＤ情報を受信することで、高所作業中のＲＦＩＤによる高所作業監視が行われる（図４，５参照）。
このように、データベースサーバ３は、アクティブＲＦＩＤタグ１１からそのＩＤ情報を受信するＲＦＩＤタグリーダ１０のＩＤ情報を受信すると、その受信したＲＦＩＤタグリーダ１０のＩＤ情報と、データベース３ｂの作業場所で作業する予定の作業者が所持するＲＦＩＤタグリーダ１０のＩＤ情報とが同一か否かを判断し、同一の場合には作業場所で作業する予定の作業者がその作業場所にいる旨の情報を管理端末４に出力し、同一でない場合は作業場所で作業する予定でない作業者がその作業場所にいる旨の情報を管理端末４に出力する。
【００６８】
また、作業者Ｗが身に着けているキーロック本体６に内蔵されたＲＦＩＤタグリーダ１０と通信回線を介して通信可能なデータベースサーバ３は、アクティブＲＦＩＤタグ１１のＩＤ情報を受信するＲＦＩＤタグリーダ１０のＩＤ情報を受信すると、その受信したＲＦＩＤタグリーダ１０のＩＤ情報と、データベース３ｂの要安全確保作業場所で作業する予定の作業者が身につけるキーロック本体６のＩＤ情報とが同一か否かを判断して、同一の場合には要安全確保作業場所で作業する予定の作業者がその要安全確保作業場所でキーロック本体６を使用状態にしている旨の情報を管理端末４に出力し、同一でない場合は要安全確保作業場所で作業する予定でない作業者がその要安全確保作業場所でキーロック本体６を使用状態にしている旨の情報を管理端末４に出力する。
【００６９】
なお、データベースサーバ３は、ＲＦＩＤタグリーダ１０を介してアクティブＲＦＩＤタグ１１のＩＤ情報を一旦受信した後、そのＩＤ情報を受信しなくなると、ＲＦＩＤタグリーダ１０を内蔵するキーロック本体６を身につけた作業者がそのキーロック本体６を使用状態にしていない旨の情報を管理端末４に出力する。
つまり、安全具であるキーロック本体６をオフにすると、ＲＦＩＤタグリーダ１０もオフになり、データベースサーバ３は、ＲＦＩＤタグリーダ１０のＩＤ情報を受信しなくなる（当然、アクティブＲＦＩＤタグ１１のＩＤ情報の受信もできなくなる）。
【００７０】
作業終了時、作業管理者Ｃ又は作業主任（班長）Ｒは、作業者Ｗが保持しているＧＰＳ機能付き携帯電話機１２からデータベースサーバ３に作業終了情報を送出する。作業終了情報の送出により、ＲＦＩＤタグリーダ１０をオフした後、作業場所である鉄塔Ｔに配置した各アクティブＲＦＩＤタグ１１を撤去し、撤去終了後、高所作業を終了する。なお、作業開始時及び終了時におけるＲＦＩＤタグリーダ１０のＩＤ情報の送信は、携帯電話機によるものに限られるものではなく、他の通信手段により行っても良い。
【００７１】
従って、この第２実施例の作業者管理支援システムによれば、高所作業の開始後、ＲＦＩＤタグリーダ１０をオンすることで、その後、ＲＦＩＤタグリーダ１０をオフする迄、ＲＦＩＤによる高所作業監視を行うことができ（図５参照）、作業場所である、例えば、鉄塔ＴにアクティブＲＦＩＤタグ１１を配置し、作業者ＷにＲＦＩＤタグリーダ１０を所持させても、所定の作業場所で作業する予定の作業者Ｗがその作業場所にいるか否かを、本社或いは協力会社若しくは作業管理者Ｃが駐在することが多い工事事務所等で管理端末４から確認し得るので、作業者Ｗの客観的な管理を容易に行うことができる。
【００７２】
特に、作業場所にアクティブＲＦＩＤタグ１１を配置し、作業者ＷがＲＦＩＤタグリーダ１０を所持することで、作業性の向上を図ることができると共に作業コストを低減することができる。
加えて、所定の高所作業場所で作業する予定の作業者Ｗが、その高所作業場所でキーロック本体６を使用状態にしているか否かを、本社或いは協力会社若しくは作業管理者Ｃが駐在することが多い工事事務所等で管理端末４から確認し得るので、高所作業場所での作業者Ｗの客観的な管理、特に安全管理を容易に行うことができる。
【００７３】
なお、この第２実施例において、ＲＦＩＤタグリーダ１０は、キーロック本体６に内蔵されておらず、キーロック本体６とは別体で作業者Ｗが所持していても良い。また、ＲＦＩＤタグリーダ１０は、ＧＰＳ機能を備えていないが、ＧＰＳ機能を備えたＧＰＳ機能付きＲＦＩＤタグリーダとしても良く、更に、携帯電話機能等の無線通信機能を備えていても良い。この場合、作業者Ｗは、ＲＦＩＤタグリーダ１０と共にＧＰＳ機能付き携帯電話機１２を所持する必要はなく、キーロック本体６とは独立して機能するＲＦＩＤタグリーダ１０を内蔵するキーロック本体６のみを所持すればよい。
【００７４】
（第３実施例）
次に、この発明の作業者管理支援システムの第３実施例について説明する。
この発明の作業者管理支援システムの第３実施例にあっては、第２実施例において、高所作業の開始時に設置していたアクティブＲＦＩＤタグ１１を、予め作業場所に設置しておく、即ち、アクティブＲＦＩＤタグ１１が常置されている。その他の構成及び作用は、この発明の作業者管理支援システムの第２実施例と同様である。
【００７５】
図６は、作業者管理支援システムの第３実施例における高所作業の流れを時間経過に沿って示す説明図である。図６に示すように、高所作業の開始に当たって作業者従事管理を行った後、作業者Ｗは、所持しているキーロック本体６をオン（ｏｎ）にすることによりＲＦＩＤタグリーダ１０の電源をオンし、それと共に、ＧＰＳ機能付き携帯電話機１２により、携帯電話網を介してデータベースサーバ３を呼び出し、通信セッションを設定して、ＲＦＩＤタグリーダ１０のＩＤ情報等をデータベースサーバ３に送信する。
【００７６】
このとき、高所作業場所としての、例えば、鉄塔Ｔの基部（Zone0）より上部（Zone2）に向けて、予め決められた場所（図４では中間部（Zone1）を含む３箇所）それぞれには、既に、アクティブＲＦＩＤタグ１１が配置されている。
ＲＦＩＤタグリーダ１０の電源をオンした後、高所作業を開始する。高所作業開始後から作業終了迄の一連の作用、効果は、第２実施例の作業者管理支援システムにおける作用、効果と同様である。
【００７７】
作業終了後、作業管理者Ｃ又は作業主任（班長）Ｒは、作業者Ｗが保持しているＧＰＳ機能付き携帯電話機１２を操作し、そのＧＰＳ機能付き携帯電話機１２からデータベースサーバ３に作業終了、即ち、ＲＦＩＤタグリーダ１０オフ（ｏｆｆ）の情報を送る。作業終了後、作業場所である鉄塔Ｔに配置した各アクティブＲＦＩＤタグ１１の撤去は行わず、各アクティブＲＦＩＤタグ１１は常置される。
【００７８】
従って、この第３実施例の作業者管理支援システムによれば、ＲＦＩＤタグリーダ１０をオンした後、高所作業を開始することになり、ＲＦＩＤタグリーダ１０をオンすることで、その後、ＲＦＩＤタグリーダ１０をオフする迄、ＲＦＩＤによる高所作業監視を行うことができる（図６参照）。このため、第２実施例の作業者管理支援システムにあっては必要であった、ＲＦＩＤタグリーダ１０オン前のアクティブＲＦＩＤタグ１１の配置、及びＲＦＩＤタグリーダ１０オフ後のアクティブＲＦＩＤタグ１１の撤去が不要となり、作業の迅速化及び簡略化、更に作業コストの低減を図ることができ、加えて、ＲＦＩＤによる高所作業監視中に高所作業を開始し終了することができる。
【００７９】
以上、図示例に基づき説明したが、この発明は上述の例に限定されるものでなく、特許請求の範囲の記載範囲内で適宜変更することができ、例えば、データベースサーバ３と管理端末４とは一体でも良く、或いは管理端末４は、データベースサーバ３とは別の場所に設置してインターネット等で接続しても良い。また、要安全確保作業場所は、鉄塔やビルの屋上等の高所作業場所に限られず、危険な作業を行う他の種類の作業場所でも良い。そして、安全具は、キーロック本体６に限られず、他の形式のものでも良く、その使用状態の検出も、マイクロスイッチ以外の素子を使用して行っても良い。
【産業上の利用可能性】
【００８０】
かくして、この発明に係る作業者管理支援システムによれば、所定の作業場所で作業する予定の作業者がその作業場所にいるか否かを、本社あるいは協力会社もしくは作業管理者が駐在することが多い工事事務所等で管理端末から確認し得るので、作業者の客観的な管理を容易に行うことができる。
【００８１】
また、この発明に係る他の態様の作業者管理支援システムによれば、所定の要安全確保作業場所で作業する予定の作業者がその要安全確保作業場所で安全具を使用状態にしているか否かを、本社あるいは協力会社もしくは作業管理者が駐在することが多い工事事務所等で管理端末から確認し得るので、要安全確保作業場所での作業者の客観的な管理、特に安全管理を容易に行うことができる。
そして、この発明に係る他の態様のアクティブＲＦＩＤタグ機能付安全具、或いはＲＦＩＤタグリーダ機能付安全具によれば、前述した他の態様のこの発明の作業者管理支援システムの効果をもたらすことができる。
【符号の説明】
【００８２】
１  ＲＦＩＤタグ機能付携帯電話機
２，１０  ＲＦＩＤタグリーダ
３  データベースサーバ
３ａ  コンピュータ
３ｂ  ハードディスクドライブ装置
４  管理端末
５  携帯電話機
６  キーロック本体
６ａ  ケース
６ｂ  差込口
６ｃ  金属環
６ｄ  ＲＦＩＤタグ用ＩＣチップ
６ｅ  マイクロスイッチ
７  安全ロープ
７ａ  ロックレバー
１１  アクティブＲＦＩＤタグ
１２  ＧＰＳ機能付き携帯電話機
Ｃ  作業管理者
Ｒ  作業主任（班長）
Ｔ  鉄塔
Ｗ  作業者
【図１】
2010040038.tif 000003
【図２】
2010040038.tif 000004
【図３】
2010040038.tif 000005
【図４】
2010040038.tif 000006
【図５】
2010040038.tif 000007
【図６】
2010040038.tif 000008